(57)【要約】  下記式（１）で表されるアントラピリドン化合物又はその塩。2009078252.tif 000037（式中、Ｒ１は水素原子又はＣ１−Ｃ８アルキル基であり、シアヌルアミノ基及びアゾ基が置換したベンゼン環上の、置換位置が特定されていないスルホン酸基は、シアヌルアミノ基の置換位置を１位、アゾ基の置換位置を５位とした場合に２位又は４位に置換しており、Ｒは水酸基；アニリノ基；トルイジノ基；キシリジノ基；Ｃ２−Ｃ８アルキルアニリノ基；フェニルＣ１−Ｃ３アルキルアミノ基；Ｃ１−Ｃ１２アルキルアミノ基；ジＣ１−Ｃ１２アルキルアミノ基；カルボキシＣ１−Ｃ１２アルキルアミノ基；又はスルホＣ１−Ｃ１２アルキルアミノ基を表す。）
2009078252.tif 000002
【特許請求の範囲】
【請求項１】
下記式（１）で表されるアントラピリドン化合物又はその塩。
【化１】
2009078252.tif 000034
（式中、Ｒ１は水素原子又はＣ１−Ｃ８アルキル基であり、
シアヌルアミノ基及びアゾ基が置換したベンゼン環上の、置換位置が特定されていないスルホン酸基は、シアヌルアミノ基の置換位置を１位、アゾ基の置換位置を５位とした場合に２位又は４位に置換しており、
Ｒは水酸基；アニリノ基；トルイジノ基；キシリジノ基；Ｃ２−Ｃ８アルキルアニリノ基；フェニルＣ１−Ｃ３アルキルアミノ基；Ｃ１−Ｃ１２アルキルアミノ基；ジＣ１−Ｃ１２アルキルアミノ基；カルボキシＣ１−Ｃ１２アルキルアミノ基；又はスルホＣ１−Ｃ１２アルキルアミノ基を表す。）
【請求項２】
Ｒ１が水素原子又はＣ１−Ｃ８アルキル基であり、
Ｒがアニリノ基；トルイジノ基；キシリジノ基；Ｃ２−Ｃ４アルキルアニリノ基；フェニルＣ１−Ｃ３アルキルアミノ基；Ｃ１−Ｃ８アルキルアミノ基；ジＣ１−Ｃ８アルキルアミノ基；カルボキシＣ１−Ｃ５アルキルアミノ基；又はスルホＣ１−Ｃ４アルキルアミノ基である請求項１に記載のアントラピリドン化合物又はその塩。
【請求項３】
Ｒ１がメチル基であり、
Ｒがアニリノ基；トルイジノ基；キシリジノ基；Ｃ２−Ｃ４アルキルアニリノ基；フェニルＣ１−Ｃ３アルキルアミノ基；Ｃ１−Ｃ８アルキルアミノ基；又はカルボキシＣ１−Ｃ５アルキルアミノ基である請求項１に記載のアントラピリドン化合物又はその塩。
【請求項４】
下記式（１９）で表される請求項１乃至３のいずれか一項に記載のアントラピリドン化合物又はその塩。
【化２】
2009078252.tif 000035
【請求項５】
下記式（２０）で表される請求項１乃至３のいずれか一項に記載のアントラピリドン化合物又はその塩。
【化３】
2009078252.tif 000036
【請求項６】
請求項１乃至５のいずれか一項に記載のアントラピリドン化合物又はその塩を色素として含有し、さらに水を含有することを特徴とするインク組成物。
【請求項７】
水溶性有機溶剤をさらに含有する請求項６に記載のインク組成物。
【請求項８】
インクジェット記録用である請求項７に記載のインク組成物。
【請求項９】
色素として含有する請求項１乃至５のいずれか一項に記載のアントラピリドン化合物の総質量中における無機不純物の含有量が、該化合物の総質量に対して１質量％以下である請求項６乃至８のいずれか一項に記載のインク組成物。
【請求項１０】
色素として含有する請求項１乃至５のいずれか一項に記載のアントラピリドン化合物の含有量が、組成物の総質量に対して０．１〜２０質量％の範囲である請求項６乃至９のいずれか一項に記載のインク組成物。
【請求項１１】
請求項６乃至１０のいずれか一項に記載のインク組成物をインクとして用い、該インクのインク滴を記録信号に応じて吐出させて被記録材に記録を行うインクジェット記録方法。
【請求項１２】
前記被記録材が情報伝達用シートである請求項１１に記載のインクジェット記録方法。
【請求項１３】
前記情報伝達用シートが普通紙又は多孔性白色無機物を含有するインク受容層を有するシートである請求項１２に記載のインクジェット記録方法。
【請求項１４】
請求項６乃至１０のいずれか一項に記載のインク組成物により着色された着色体。
【請求項１５】
着色がインクジェットプリンターによりなされた請求項１４に記載の着色体。
【請求項１６】
請求項６乃至１０のいずれか一項に記載のインク組成物を含有する容器が装填されたインクジェットプリンター。
【発明の詳細な説明】
【技術分野】
【０００１】
本発明は水溶性のアントラピリドン化合物又はその塩、これを含有するインク組成物及びこれにより着色された着色体に関する。
【背景技術】
【０００２】
各種カラー記録方法の中で、その代表的方法の一つであるインクジェットプリンターによる記録方法、すなわちインクジェット記録は、インクの吐出方式が各種開発されているが、いずれもインクの小滴を発生させ、これを種々の被記録材、例えば、紙、フィルム、布帛等に付着させ記録を行うものである。この記録方法は、プリンターヘッドと被記録材とが直接接触しない為、音の発生がなく静かであり、また小型化、高速化、カラー化が容易であるという特長を有する為、近年急速に普及しつつあり、今後とも大きな伸長が期待されている。
従来、万年筆、フェルトペン等のインク及びインクジェット記録用のインクとしては、色素として水溶性の染料を水性媒体に溶解したインクが使用されている。また、これらのインクにおいては、ペン先やインク吐出ノズルでのインクの目詰まりを防止すべく、一般に水溶性の有機溶剤が添加されている。これらのインクには、十分な濃度の記録画像を与えること、ペン先やノズルの目詰まりを生じないこと、被記録材上での乾燥性がよいこと、滲みが少ないこと、保存安定性に優れること等が要求される。また、形成される記録画像には、耐水性、耐湿性、耐光性、耐ガス性等の堅牢度が求められている。
インクジェットプリンターのノズル詰まりは、ノズル付近でインク中の水分が他の溶剤や添加剤よりも先に蒸発し、水分が少なく溶剤や添加剤が多いという組成状態になったときに色素が結晶化し析出することに由来するものが多い。よって、インクを蒸発乾燥させた場合においても結晶が析出しにくいということが非常に重要な要求性能の一つである。また、この理由により、溶剤や添加剤に対する高い溶解性も色素に求められる性質の一つである。【０００３】
ところで、コンピューターのカラーディスプレー上の画像又は文字情報をインクジェットプリンターによりカラーで記録するには、一般にイエロー（Ｙ）、マゼンタ（Ｍ）、シアン（Ｃ）、ブラック（Ｋ）の４色のインクによる減法混色が用いられ、これにより記録画像がカラーで表現される。ＣＲＴ（ブラウン管）ディスプレー等におけるレッド（Ｒ）、グリーン（Ｇ）、ブルー（Ｂ）による加法混色画像を、減法混色画像で出来るだけ忠実に再現するには、インクに使用される各色素、中でもＹ、Ｍ、Ｃのそれぞれが、標準に近い色相を有し且つ鮮明であることが望まれる。また、インクは長期の保存に対して安定であり、また上記のように記録画像の濃度が高く、しかも記録画像の堅牢度に優れていることが求められる。【０００４】
近年のインクジェット記録技術の発達により、印刷スピードの向上がめざましく、オフィス環境での主用途である普通紙へのドキュメントの印刷に、電子トナーを用いたレーザープリンターと同じ様に、インクジェットプリンターを用いる動きが出ている。インクジェットプリンターは、記録紙の種類を選ばない、機械の価格が比較的安い、という利点があり、特にＳＯＨＯ等の小〜中規模オフィス環境で普及が進んでいる。このように普通紙への印刷にインクジェットプリンターを使用する場合、印刷物に求められる各種の品質の中でも、色相や耐水性がより重視される傾向がある。従来、これらの性能、特に耐水性を満たすべく、色素として染料を使用した染料インクの代わりに、色素として顔料を使用した顔料インクを用いるという方法が提案されている。しかし、顔料インクは染料インクと異なり、溶液ではなく分散液になるため、保存安定性が不良であるという問題や、プリンターヘッドのノズルが詰まるという問題等が比較的起こりやすい。また、顔料インクを使用した場合、耐擦性にも問題が出ることが多く、色相も染料インクより劣る場合が多い。これに対して染料インクの場合、このような顔料インクを用いた場合の問題は比較的起こりにくいとされる。その反面、染料インクは特に耐水性が顔料インクと比較して著しく劣り、それに対する改良が強く望まれている。【０００５】
普通紙上での耐水性向上という問題に対しては古くから多くの提案がなされている。耐水性に優れ、色相や耐光性等の改良を行ったインクジェット記録用のマゼンタ色素として、例えば特許文献１乃至１０には、アントラピリドン系マゼンタ色素が開示され、特許文献１１及び１２には、架橋基で結合された二量体型のアントラピリドン系マゼンタ色素が開示されている。【０００６】
【特許文献１】特開２０００−１０９４６４号公報
【特許文献２】特開平１０−３０６２２１号公報
【特許文献３】特開２０００−１９１６６０号公報
【特許文献４】特開２０００−１６９７７６号公報
【特許文献５】特開２００１−７２８８４号公報
【特許文献６】特開２００１−１３９８３６号公報
【特許文献７】特開２００２−３３２４１８号公報
【特許文献８】特開２００５−８８６８号公報
【特許文献９】特開２００５−３１４５１４号公報
【特許文献１０】特開２００６−１８８７０６号公報
【特許文献１１】国際公開第２００３／０２７１８５号パンフレット
【特許文献１２】国際公開第２００６／０７５７０６号パンフレット
【発明の開示】
【発明が解決しようとする課題】
【０００７】
特許文献１には耐水性及び／又は耐湿性に優れたマゼンタ色素が開示されているが、耐水性、特に普通紙に記録した場合の記録画像の耐水性について市場の要求を十分に満たしているとはいえない。
よって、より多くの種類の普通紙上で一様に優れた耐水性をもち、さらには色相、鮮明性にも優れたマゼンタ色素が求められていた。
本発明は水又は水溶性有機溶剤に対する溶解性が高く、インクジェット記録に適する色相と鮮明性を有し、特に普通紙にプリントした場合における耐水性に優れた水溶性のマゼンタ色素及びそれを含有する保存安定性の良いインク組成物を提供することを目的とする。
【課題を解決するための手段】
【０００８】
本発明者等は上記課題を解決すべく、鋭意検討した結果、特定の式で示される水溶性アントラピリドン化合物及びそれを色素として含有するインク組成物が上記課題を解決するものであることを見出し、本発明を完成させた。
すなわち、本発明は、
１）
下記式（１）で表されるアントラピリドン化合物又はその塩、【０００９】
【化１】
2009078252.tif 000003
【００１０】
（式中、Ｒ１は水素原子又はＣ１−Ｃ８アルキル基であり、
シアヌルアミノ基及びアゾ基が置換したベンゼン環上の、置換位置が特定されていないスルホン酸基は、シアヌルアミノ基の置換位置を１位、アゾ基の置換位置を５位とした場合に２位又は４位に置換しており、
Ｒは水酸基；アニリノ基；トルイジノ基；キシリジノ基；Ｃ２−Ｃ８アルキルアニリノ基；フェニルＣ１−Ｃ３アルキルアミノ基；Ｃ１−Ｃ１２アルキルアミノ基；ジＣ１−Ｃ１２アルキルアミノ基；カルボキシＣ１−Ｃ１２アルキルアミノ基；又はスルホＣ１−Ｃ１２アルキルアミノ基を表す。）、
２）
Ｒ１が水素原子又はＣ１−Ｃ８アルキル基であり、
Ｒがアニリノ基；トルイジノ基；キシリジノ基；Ｃ２−Ｃ４アルキルアニリノ基；フェニルＣ１−Ｃ３アルキルアミノ基；Ｃ１−Ｃ８アルキルアミノ基；ジＣ１−Ｃ８アルキルアミノ基；カルボキシＣ１−Ｃ５アルキルアミノ基；又はスルホＣ１−Ｃ４アルキルアミノ基である上記１）に記載のアントラピリドン化合物又はその塩、
３）
Ｒ１がメチル基であり、
Ｒがアニリノ基；トルイジノ基；キシリジノ基；Ｃ２−Ｃ４アルキルアニリノ基；フェニルＣ１−Ｃ３アルキルアミノ基；Ｃ１−Ｃ８アルキルアミノ基；又はカルボキシＣ１−Ｃ５アルキルアミノ基である上記１）に記載のアントラピリドン化合物又はその塩、
４）
下記式（１９）で表される上記１）乃至３）のいずれか一項に記載のアントラピリドン化合物又はその塩、【００１１】
【化２】
2009078252.tif 000004
【００１２】
５）
下記式（２０）で表される上記１）乃至３）のいずれか一項に記載のアントラピリドン化合物又はその塩、【００１３】
【化３】
2009078252.tif 000005
【００１４】
６）
上記１）乃至５）のいずれか一項に記載のアントラピリドン化合物又はその塩を色素として含有し、さらに水を含有することを特徴とするインク組成物、
７）
水溶性有機溶剤をさらに含有する上記６）に記載のインク組成物、
８）
インクジェット記録用である上記７）に記載のインク組成物、
９）
色素として含有する上記１）乃至５）のいずれか一項に記載のアントラピリドン化合物の総質量中における無機不純物の含有量が、該化合物の総質量に対して１質量％以下である上記６）乃至８）のいずれか一項に記載のインク組成物、
１０）
色素として含有する上記１）乃至５）のいずれか一項に記載のアントラピリドン化合物の含有量が、組成物の総質量に対して０．１〜２０質量％の範囲である請求項６乃至９のいずれか一項に記載のインク組成物、
１１）
上記６）乃至１０）のいずれか一項に記載のインク組成物をインクとして用い、該インクのインク滴を記録信号に応じて吐出させて被記録材に記録を行うインクジェット記録方法、
１２）
上記被記録材が情報伝達用シートである上記１１）に記載のインクジェット記録方法、
１３）
上記情報伝達用シートが普通紙又は多孔性白色無機物を含有するインク受容層を有するシートである上記１２）に記載のインクジェット記録方法、
１４）
上記６）乃至１０）のいずれか一項に記載のインク組成物により着色された着色体、
１５）
着色がインクジェットプリンターによりなされた上記１４）に記載の着色体、
１６）
上記６）乃至１０）のいずれか一項に記載のインク組成物を含有する容器が装填されたインクジェットプリンター、
に関する。
【発明の効果】
【００１５】
本発明の上記式（１）で示される水溶性アントラピリドン化合物又はその塩は、水や水溶性有機溶剤に対する溶解性に優れる。また、インク組成物を製造する過程での、例えばメンブランフィルターに対する濾過性が良好であるという特徴を有し、インクジェット記録紙上で非常に鮮明で、明度の高いマゼンタ色の色相を与える。また、この化合物を色素として含有する本発明のインク組成物は、長期間保存後の結晶析出、物性変化、色相変化等もなく、貯蔵安定性が極めて良好である。そして本発明のインク組成物をインクジェット記録用のインクとして使用した印刷物は被記録材（例えば紙、フィルム等）を選択することなくマゼンタ色の色相として理想的な色相であり、写真調のカラー画像を紙の上に忠実に再現させることも可能である。
さらに本発明のインク組成物は、従来の染料インクと比較して特に普通紙上での耐水性が極めて向上している。また、写真画質用インクジェット専用紙やフィルムのような多孔性白色無機物を表面に塗工した被記録材に記録しても耐水性が良好であり、写真調の記録画像の長期保存安定性にも優れている。このため、記録メディアを選ばないことが特徴の一つであるインクジェット印刷に非常に適しているインクである。このように、上記式（１）の水溶性アントラピリドン化合物はインク用、特にインクジェット記録用インクに含有するマゼンタ色素として極めて有用である。
【発明を実施するための形態】
【００１６】
本発明を詳細に説明する。なお、本明細書においては特に断りがない限り、スルホン酸基、カルボキシ基等の酸性官能基は遊離酸の形で表す。また、本発明のアントラピリドン化合物又はその塩は、マゼンタインク組成物又はマゼンタインク用の色素である。以下、便宜上、「本発明のアントラピリドン化合物又はその塩」を含めて、単に「本発明のアントラピリドン化合物」と簡略して記載する。
【００１７】
本発明のアントラピリドン化合物は、上記式（１）で表される。式（１）中、Ｒ１は水素原子又はＣ１−Ｃ８アルキル基であり、シアヌルアミノ基及びアゾ基が置換したベンゼン環上の、置換位置が特定されていないスルホン酸基は、シアヌルアミノ基の置換位置を１位、アゾ基の置換位置を５位とした場合に２位又は４位に置換しており、Ｒは水酸基；アニリノ基；トルイジノ基；キシリジノ基；Ｃ２−Ｃ８アルキルアニリノ基；フェニルＣ１−Ｃ３アルキルアミノ基；Ｃ１−Ｃ１２アルキルアミノ基；ジＣ１−Ｃ１２アルキルアミノ基；カルボキシＣ１−Ｃ１２アルキルアミノ基；又はスルホＣ１−Ｃ１２アルキルアミノ基を表す。
【００１８】
上記式（１）において、Ｒ１で表されるＣ１−Ｃ８アルキル基としては、直鎖、分岐鎖及び環状アルキル基のいずれでもよいが、直鎖又は分岐鎖のものが好ましく、直鎖のものがより好ましい。該アルキル基の炭素数は、Ｃ１−Ｃ５が好ましく、Ｃ１−Ｃ３がより好ましい。具体例としては、メチル、エチル、ｎ−プロピル、ｎ−ブチル等の直鎖；イソプロピル、２−メチルブチル、イソブチル、ｔｅｒｔ−ブチル等の分岐鎖；及び、シクロプロピル、シクロブチル等の環状のアルキル基が挙げられる。上記の具体例のうち、最も好ましいものはメチルである。
【００１９】
上記式（１）において、シアヌルアミノ基及びアゾ基が置換したベンゼン環上の、置換位置が特定されていないスルホン酸基は、シアヌルアミノ基の置換位置を１位、アゾ基の置換位置を５位とした場合に２位又は４位に置換している。スルホン酸基の置換位置としてはいずれも好ましく、該スルホン酸基の置換位置が２位と４位との混合物であってもよい。
なお、式（１）中、上記「シアヌルアミノ基及びアゾ基が置換したベンゼン環」に付与した１乃至６の数字は、該ベンゼン環上の位置を記載したものである。
【００２０】
以下、上記式（１）において、Ｒがトルイジノ基；キシリジノ基；Ｃ２−Ｃ８アルキルアニリノ基；フェニルＣ１−Ｃ３アルキルアミノ基；Ｃ１−Ｃ１２アルキルアミノ基；ジＣ１−Ｃ１２アルキルアミノ基；カルボキシＣ１−Ｃ１２アルキルアミノ基；又はスルホＣ１−Ｃ１２アルキルアミノ基を表す場合、その具体例等について順次記載する。
Ｒで表されるトルイジノ基としてはｏ−、ｍ−、ｐ−トルイジノが挙げられる。
同様に、キシリジノ基としては、２，４−キシリジノ、２，５−キシリジノ、３，５−キシリジノ、３，４−キシリジノが挙げられる。
同様に、Ｃ２−Ｃ８アルキルアニリノ基のＣ２−Ｃ８アルキル部分は、直鎖、分岐鎖のいずれでもよいが、直鎖がより好ましい。該アルキル部分の炭素数は、Ｃ２−Ｃ６が好ましく、Ｃ２−Ｃ４がより好ましい。その具体例としては、４−エチルアニリノ、４−ｎ−ブチルアニリノ、４−ｔｅｒｔ−ブチルアニリノ、４−ｎ−ヘキシルアニリノ、４−ｎ―オクチルアニリノ等が挙げられる。
同様に、フェニルＣ１−Ｃ３アルキルアミノ基のＣ１−Ｃ３アルキル部分は、直鎖、分岐鎖のいずれでもよいが、直鎖がより好ましい。その具体例としては、ベンジルアミノ、２−フェネチルアミノ、フェニルプロピルアミノ等のアルキル部分が直鎖のもの；１−フェネチルアミノ等のアルキル部分が分岐鎖のもの；等が挙げられる。
同様に、Ｃ１−Ｃ１２アルキルアミノ基のＣ１−Ｃ１２アルキル部分は、直鎖、分岐鎖のいずれでもよく、いずれも好ましいが、分岐鎖がより好ましい。該アルキル部分の炭素数は、Ｃ１−Ｃ１０が好ましく、Ｃ１−Ｃ８がより好ましい。その具体例としては、メチルアミノ、ブチルアミノ、ヘキシルアミノ、オクチルアミノ、デシルアミノ、等のアルキル部分が直鎖のもの；２−エチルヘキシル等のアルキル部分が分岐鎖のもの；等が挙げられる。
同様に、ジＣ１−Ｃ１２アルキルアミノ基のアルキル部分は、直鎖、分岐鎖のいずれでもよいが、直鎖がより好ましい。該アルキル部分の炭素数は、Ｃ１−Ｃ８が好ましい。その具体例としては、ジメチルアミノ、ジプロピルアミノ、ジブチルアミノ、ジヘキシルアミノ等が挙げられる。
同様に、カルボキシＣ１−Ｃ１２アルキルアミノ基のアルキル部分は、直鎖、分岐鎖のいずれでもよいが、直鎖がより好ましい。該アルキル部分の炭素数は、Ｃ１−Ｃ８が好ましく、Ｃ１−Ｃ５がより好ましい。その具体例としては、カルボキシメチルアミノ、カルボキシエチルアミノ、５−カルボキシペンチルアミノ等が挙げられる。
同様に、スルホＣ１−Ｃ１２アルキルアミノ基のアルキル部分は、直鎖、分岐鎖のいずれでもよいが、直鎖がより好ましい。該アルキル部分の炭素数は、Ｃ１−Ｃ８が好ましく、Ｃ１−Ｃ６がより好ましく、Ｃ１−Ｃ４がさらに好ましい。その具体例としては、２−スルホエチルアミノ、３−スルホプロピルアミノ、４−スルホブチルアミノ等が挙げられる。
Ｒとして好ましいものは、アニリノ基、キシリジノ基、Ｃ２−Ｃ８アルキルアニリノ基、フェニルＣ１−Ｃ３アルキルアミノ基、Ｃ１−Ｃ１２アルキルアミノ基、カルボキシＣ１−Ｃ１２アルキルアミノ基であり、より好ましくはアニリノ基及びＣ２−Ｃ８アルキルアニリノ基である。これらの好ましい具体例としては、下記表１のＲに記載した各基であり、アニリノ、２，４−ジメチルアニリノ、４−ｎ−ブチルアニリノ、ベンジルアミノ、フェネチルアミノ、フェニルプロピルアミノ、２−エチルヘキシルアミノ、５−カルボキシペンチルアミノ、等がより好ましい。上記のうち、アニリノ及び４−ｎ−ブチルアニリノがさらに好ましい。
【００２１】
上記Ｒ１及びＲとして挙げたもののうち、好ましいもの同士を組み合わせた化合物はより好ましく、より好ましいもの同士を組み合わせた化合物はさらに好ましい。また、さらに好ましいもの同士等についても同様である。
【００２２】
本発明の上記式（１）で示されるアントラピリドン化合物の具体例を下記表１に示す。
【００２３】
【表１】
2009078252.tif 000006
【００２４】
上記式（１）で表される化合物は遊離酸、あるいはその塩の形としても存在する。上記式（１）で表される化合物の塩としては、無機又は有機の陽イオンとの塩が挙げられる。無機陽イオンの塩の具体例としてはアンモニウム塩やアルカリ金属塩、例えばリチウム、ナトリウム、カリウム等の塩が挙げられる。また、有機の陽イオンとしては、例えば下記式（４）で表される化合物の塩が挙げられるがこれらに限定されるものではない。
【００２５】
【化４】
2009078252.tif 000007
【００２６】
（式（４）中、Ｚ１〜Ｚ４はそれぞれ独立に水素原子、Ｃ１−Ｃ４アルキル基、ヒドロキシＣ１−Ｃ４アルキル基、又はヒドロキシＣ１−Ｃ４アルコキシＣ１−Ｃ４アルキル基を表す。このうち、Ｚ１〜Ｚ４の全てが水素原子である組み合わせはアンモニウム塩である。）
【００２７】
ここで、Ｚ１〜Ｚ４がアルキル基の例としてはメチル、エチル等が挙げられ；同じくヒドロキシアルキル基の例としてはヒドロキシメチル、ヒドロキシエチル、３−ヒドロキシプロピル、２−ヒドロキシプロピル、４−ヒドロキシブチル、３−ヒドロキシブチル、２−ヒドロキシブチル等が挙げられ；さらにヒドロキシアルコキシアルキル基の例としては、ヒドロキシエトキシメチル、２−ヒドロキシエトキシエチル、３−（ヒドロキシエトキシ）プロピル、３−（ヒドロキシエトキシ）ブチル、２−（ヒドロキシエトキシ）ブチル等が挙げられる。
【００２８】
上記塩のうち好ましいものとしては、ナトリウム、カリウム、リチウム、モノエタノールアミン、ジエタノールアミン、トリエタノールアミン、モノイソプロパノールアミン、ジイソプロパノールアミン、トリイソプロパノールアミンの塩、アンモニウム塩等が挙げられる。これらのうち特に好ましいものは、リチウム、ナトリウム、カリウム、及びアンモニウム塩である。
【００２９】
当業者においては明らかなように、上記式（１）で表される化合物の塩は以下の方法等により容易に得ることができる。
例えば、後述する実施例１の（工程８）における液量を８８０部に調整する前の反応液、あるいは式（１）で表される化合物を含むウェットケーキ又は式（１）で表される化合物の乾燥品等を溶解した水溶液に食塩を加えて塩析し、析出固体を濾過することにより、上記式（１）で表される化合物のナトリウム塩をウェットケーキとして得ることができる。
また、得られたナトリウム塩のウェットケーキを水に溶解後、塩酸等の酸を加えてそのｐＨを適宜調整し、析出した固体を濾過することにより、上記式（１）で表される化合物の遊離酸を、あるいは式（１）で表される化合物の一部がナトリウム塩である遊離酸とナトリウム塩との混合物を得ることもできる。
さらに、式（１）で表される化合物の遊離酸のウェットケーキを水と共に撹拌しながら、例えば、水酸化カリウム、水酸化リチウム、アンモニア水、式（２）で表される化合物の水酸化物等を添加してアルカリ性にすれば、各々相当するカリウム塩、リチウム塩、アンモニウム塩、又は４級アンモニウム塩を得ることもできる。
遊離酸のモル数に対して、加える上記の塩のモル数を制限することにより、例えばリチウムとナトリウムとの混塩等、さらにはリチウム、ナトリウム、カリウム、及びアンモニウムの混塩等も調製することが可能である。
上記式（１）で表される化合物の塩は、その塩の種類により溶解性等の物理的な性質、あるいはインクとして用いた場合のインクの性能、特に堅牢性に関する性能が変化する場合もある。このため目的とするインク性能等に応じて塩の種類を選択することも好ましく行われる。
【００３０】
以下に本発明の化合物の製造方法を記載する。なお、下記式（５）〜（１１）中に記載のＲ１は、上記式（１）におけるのと同じ意味を表す。
すなわち、下記式（５）で示されるアントラキノン化合物１モルとベンゾイル酢酸エチルエステル１．１〜３モルとを、キシレン等の極性溶媒中、炭酸ナトリウム等の塩基性化合物の存在下、１３０〜１８０℃の条件で５〜１５時間反応させることにより、下記式（６）で表される化合物を得る。
【００３１】
【化５】
2009078252.tif 000008
【００３２】
【化６】
2009078252.tif 000009
【００３３】
得られた上記式（６）で表される化合物１モルとメタアミノアセトアニリド１〜５モルとを、Ｎ，Ｎ−ジメチルホルムアミド等の非プロトン性極性有機溶媒中、炭酸ナトリウム等の塩基及び酢酸銅等の銅触媒の存在下、１１０〜１５０℃の条件で２〜６時間ウルマン反応により縮合させることにより、下記式（７）で表される化合物を得る。
【００３４】
【化７】
2009078252.tif 000010
【００３５】
得られた上記式（７）で表される化合物を８〜１５％発煙硫酸中、５０〜１２０℃の条件でスルホ化すると同時に、アセチルアミノ基を加水分解することにより、下記式（８）で表される化合物を得る。
【００３６】
【化８】
2009078252.tif 000011
【００３７】
得られた上記式（８）で表される化合物１モルと２，４，６−トリクロロ−Ｓ−トリアジン（シアヌルクロライド）１〜１．２モルとを、水中でｐＨ２〜７．５、５〜３５℃の条件で２〜８時間反応させることにより、１次縮合物である下記式（９）で表される化合物を得た後、さらに２，４−ジアミノベンゼンスルホン酸１〜１．２モルを添加し、ｐＨ３〜７、２０〜７０℃の条件で１５分〜５時間反応させることにより、下記式（１０）で表される化合物が得られる。
【００３８】
【化９】
2009078252.tif 000012
【００３９】
【化１０】
2009078252.tif 000013
【００４０】
得られた上記式（１０）で表される化合物１モルに、０〜１０℃にて亜硝酸ナトリウム１〜１．１モルを添加し、次いで塩酸２〜３モルを添加してジアゾ化反応を行い、スルファミン酸を添加して過剰の亜硝酸ナトリウムを分解させた後、ジアゾニウム塩を、Ｎ−ベンゾイルＨ酸１モルとｐＨ６〜９でカップリングさせて、下記式（１１）で表される化合物を得る。
【００４１】
【化１１】
2009078252.tif 000014
【００４２】
次いで、上記式（１１）で表される化合物１モルに、Ｒに対応する基を導入するために、例えばＲ−Ｈで表される化合物１〜４モルを添加し、ｐＨ２〜１０、７０〜１００℃の条件で０．５〜５時間反応させることにより、本発明の上記式（１）で表される化合物が得られる。
【００４３】
本発明の上記式（１）の化合物は、反応後、塩酸等の鉱酸の添加により固体の遊離酸として単離することができる。また、得られた遊離酸の固体を水又は例えば塩酸水等の酸性水で洗浄すること等により、不純物として含有する無機塩、例えば塩化ナトリウム等の金属陽イオンの塩化物や、硫酸ナトリウム等の硫酸陽イオンのアルカリ金属塩等、すなわち、本明細書でいうところの「無機不純物」を除去することができる。
これらの無機不純物は、上記式（１）で表される化合物を色素として含有するインク組成物及び／又はインクを調製する場合に、該インク等の保存安定性や、該インクを使用してインクジェット記録等を行う際の吐出安定性等に悪影響を与えることが多い。このため、上記式（１）で表されるアントラピリドン化合物の総質量中における、該無機不純物の含有量は１質量％以下にすることが好ましく、下限は０質量％、すなわち分析機器における検出限界以下でもよい。
無機不純物の少ない化合物を製造するには、例えば逆浸透膜による方法が知られている。その他の方法として、上記式（１）で表される化合物の乾燥品あるいはウェットケーキを、メタノール等のＣ１−Ｃ４アルコール及び水の混合溶媒中に懸濁させて撹拌した後、固体を濾取し、乾燥することによっても脱塩処理が可能である。
【００４４】
上記式（１）の化合物は、天然及び合成繊維材料又は混紡品の染色、さらには、筆記用インク及びインクジェット記録用インクの製造に適している。
上記式（１）の化合物を含む反応液は、本発明のインク組成物の製造に直接使用することも出来る。また、反応液から該化合物を単離、例えばスプレー乾燥等の方法により反応液を乾燥して単離した後、得られた化合物をインク組成物に加工することもできる。本発明のインク組成物は、上記式（１）で表される化合物を色素としてインク組成物の総質量に対して通常０．１〜２０質量％、より好ましくは１〜１０質量％、さらに好ましくは２〜８質量％含有する。
【００４５】
本発明のインク組成物は水を媒体として調製され、必要に応じて、水溶性有機溶剤及びインク調製剤を、本発明の効果を害しない範囲内において含有してもよい。水溶性有機溶剤は、染料溶解剤、乾燥防止剤（湿潤剤）、粘度調整剤、浸透促進剤、表面張力調整剤、消泡剤等として使用される。その他のインク調製剤としては、例えば、防腐防黴剤、ｐＨ調整剤、キレート試薬、防錆剤、紫外線吸収剤、粘度調整剤、染料溶解剤、褪色防止剤、乳化安定剤、表面張力調整剤、消泡剤、分散剤、分散安定剤等の公知の添加剤が挙げられる。
水溶性有機溶剤の含有量はインクの総質量に対して０〜６０質量％、好ましくは１０〜５０質量％であり、インク調製剤は同様に０〜２０質量％、好ましくは０〜１５質量％用いるのが良い。上記以外の残部は水である。
【００４６】
上記の水溶性有機溶剤としては、例えばメタノール、エタノール、ｎ−プロパノール、イソプロパノール、ｎ−ブタノール、イソブタノール、第二ブタノール、第三ブタノール等のＣ１−Ｃ４アルカノール（アルコール）；Ｎ，Ｎ−ジメチルホルムアミド、Ｎ，Ｎ−ジメチルアセトアミド等のアミド類；２−ピロリドン、Ｎ−メチル−２−ピロリドン、ヒドロキシエチル−２−ピロリドン、１，３−ジメチルイミダゾリジン−２−オン、１，３−ジメチルヘキサヒドロピリミド−２−オン等の複素環式ケトン；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、チオジグリコール等のＣ２−Ｃ６アルキレン単位を有するモノ、オリゴ、若しくはポリアルキレングリコール又はチオグリコール；グリセリン、ヘキサン−１，２，６−トリオール等のポリオール（トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の多価アルコールのＣ１−Ｃ４モノアルキルエーテル；γ−ブチロラクトン、ジメチルスルホキシド等が挙げられる。
【００４７】
上記の水溶性有機溶剤として好ましいものは、イソプロパノール、グリセリン、モノ、ジ、又はトリエチレングリコール、ジプロピレングリコール、２−ピロリドン、Ｎ−メチル−２−ピロリドン、及びブチルカルビトールであり、より好ましくはイソプロパノール、グリセリン、ジエチレングリコール、２−ピロリドン、Ｎ−メチル−２−ピロリドン、及びブチルカルビトールである。これらの水溶性有機溶剤は、単独又は混合して用いられる。
【００４８】
防腐防黴剤としては、例えば、有機硫黄系、有機窒素硫黄系、有機ハロゲン系、ハロアリルスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。
有機ハロゲン系化合物としては、例えばペンタクロロフェノールナトリウムが挙げられる。
ピリジンオキシド系化合物としては、例えば２−ピリジンチオール−１−オキサイドナトリウムが挙げられる。
イソチアゾリン系化合物としては、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤としては、ソルビン酸ソーダ、酢酸ソーダ、安息香酸ナトリウム等が挙げられる。
防腐防黴剤のその他の具体例としては、例えば、アベシア社製  商品名プロクセルＧＸＬ（Ｓ）、プロクセルＸＬ−２（Ｓ）等が好ましく挙げられる。
【００４９】
ｐＨ調整剤は、インクの保存安定性を向上させる目的で、インクのｐＨを６．０〜１１．０の範囲に制御できるものであれば任意の物質を使用することができる。例えば、ジエタノールアミン、トリエタノールアミン等のアルカノールアミン、水酸化リチウム、水酸化ナトリウム、水酸化カリウム等のアルカリ金属の水酸化物、水酸化アンモニウム、あるいは炭酸リチウム、炭酸ナトリウム、炭酸カリウム等のアルカリ金属の炭酸塩等が挙げられる。
【００５０】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００５１】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００５２】
紫外線吸収剤としては、例えば、ベンゾフェノン系化合物、ベンゾトリアゾール系化合物、桂皮酸系化合物、トリアジン系化合物、スチルベン系化合物、又はベンズオキサゾール系化合物に代表される紫外線を吸収して蛍光を発する化合物、いわゆる蛍光増白剤も用いることができる。
【００５３】
粘度調整剤としては、水溶性有機溶剤の他に水溶性高分子化合物が挙げられ、例えば、ポリビニルアルコール、セルロース誘導体、ポリアミン、ポリイミン等が挙げられる。
【００５４】
染料溶解剤としては、例えば、尿素、ε−カプロラクタム、エチレンカーボネート等が挙げられる。その中でも、尿素を使用するのが好ましい。
【００５５】
褪色防止剤は、画像の保存性を向上させる目的で使用される。褪色防止剤としては、各種の有機系及び金属錯体系の褪色防止剤を使用することができる。有機系の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類等があり、金属錯体系の褪色防止剤としては、ニッケル錯体、亜鉛錯体等がある。
【００５６】
表面張力調整剤としては界面活性剤が挙げられ、例えば、アニオン界面活性剤、両性界面活性剤、カチオン界面活性剤、ノニオン界面活性剤等が挙げられる。
【００５７】
アニオン界面活性剤としては、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００５８】
カチオン界面活性剤としては、２−ビニルピリジン誘導体、ポリ４−ビニルピリジン誘導体等が挙げられる。
【００５９】
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００６０】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオクチルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；その他の具体例として、例えば、日信化学社製  商品名サーフィノール１０４、８２、４６５、オルフィンＳＴＧ等が挙げられる。
【００６１】
消泡剤としては、高酸化油系、グリセリン脂肪酸エステル系、フッ素系、シリコーン系化合物が必要に応じて用いられる。
【００６２】
これらのインク調製剤は、単独又は混合して用いられる。なお、本発明のインク組成物を含有するインクの表面張力は通常２５〜７０ｍＮ／ｍ、より好ましくは２５〜６０ｍＮ／ｍである。同様に、インクの粘度は３０ｍＰａ・ｓ以下が好ましく、２０ｍＰａ・ｓ以下に調整することがより好ましい。
【００６３】
本発明のインク組成物を製造するにあたり、添加剤等の各薬剤を溶解させる順序には特に制限はない。インク組成物を調製するにあたり、用いる水はイオン交換水や蒸留水等の不純物が少ないものが好ましい。
さらに、必要に応じてメンブランフィルター等を用いて精密濾過を行い、夾雑物を除いてもよい。特にインクジェットプリンター用のインクとして使用する場合には精密濾過を行うことが好ましい。精密濾過を行うフィルターの孔径は通常１〜０．１μｍ、好ましくは、０．８〜０．２μｍである。
【００６４】
本発明のアントラピリドン化合物を色素として含有するインク組成物は、印捺、複写、マーキング、筆記、製図、スタンピング、又は記録（印刷）、特にインクジェット記録における使用に適する。また、本発明のインク組成物は、インクジェットプリンターのノズル付近における乾燥によっても結晶の析出が起こりにくく、この理由によりプリンターヘッドの閉塞もまた起こりにくい。さらに、本発明のインク組成物をインクジェット記録に用いた場合、水、光、オゾンや酸化窒素ガス、及び摩擦に対する良好な耐性を有する高品質のマゼンタ色の印捺物が得られ、特に普通紙に記録した記録画像の耐水性が極めて良好である。
【００６５】
インクジェットプリンターにおいて、高精細な画像を供給することを目的に、高濃度のインクと低濃度のインクとの２種類のインクが１台のプリンターに装填されたものもある。その場合、色素として本発明の化合物を高濃度に含有するインクと、低濃度に含有するインクとをそれぞれ調製し、それらをインクセットとして使用してもよい。また、どちらか一方だけに該化合物を含有させてもよい。
また、本発明の化合物が有する耐水性等の効果を阻害しない範囲で、公知のマゼンタ色素を併用してもよい。
また、他の色、例えばブラックインクの調色用、あるいはイエロー色素やシアン色素と混合して、レッドインクやブルー（又はバイオレット）インクを調製する目的で、本発明の化合物を色素として用いることもできる。
【００６６】
本発明の着色体とは本発明の化合物で着色された物質のことである。着色体の材質には特に制限はなく、例えば紙、フィルム等の情報伝達用シート、繊維や布（セルロース、ナイロン、羊毛等）、皮革、カラーフィルター用基材等、着色されるものであればなんでもよく、これらに限定されない。着色法としては、例えば浸染法、捺染法、スクリーン印刷等の印刷法、インクジェットプリンターによる方法等が挙げられるが、インクジェットプリンターによる方法が好ましい。
【００６７】
上記の情報伝達用シートとしては、特に制限はなく、普通紙はもちろん、表面処理されたもの、具体的には紙、合成紙、フィルム等の基材にインク受容層を設けたもの等も用いることができる。ここでインク受容層とは、例えば上記基材にカチオン系ポリマーを含浸あるいは塗工する方法；多孔質シリカ、アルミナゾル、特殊セラミックス等のインク中の色素を吸収し得る無機微粒子をポリビニルアルコールやポリビニルピロリドン等の親水性ポリマーと共に上記基材表面に塗工する方法；等により設けられる。このようなインク受容層を設けたものは通常インクジェット専用紙、インクジェット専用フィルム、光沢紙、光沢フィルム等と呼ばれる。
普通紙とは、特にインク受容層を設けていない紙のことを意味し、用途によってさまざまなものが数多く市販されている。市販されている普通紙の一例を挙げると、インクジェット用としては、セイコーエプソン社製  両面上質普通紙；キヤノン社製  カラー普通紙；Ｈｅｗｌｅｔｔ  Ｐａｃｋａｒｄ社製  Ｍｕｌｔｉｐｕｒｐｏｓｅ  Ｐａｐｅｒ、Ａｌｌ−ｉｎ−ｏｎｅ  Ｐｒｉｎｔｉｎｇ  Ｐａｐｅｒ；等がある。この他、特に用途をインクジェット印刷に限定しないＰＰＣ用紙等も普通紙である。
本発明のインク組成物は、上記のような普通紙に記録した画像の耐水性が特に優れているが、その他の光、オゾン、湿度、摩擦等に対する耐性にも優れる。一方、上記のインクジェット専用紙等に記録した記録画像の耐水性にも非常に優れ、また同様に耐光性、耐ガス性、耐湿性、耐擦性等にも優れる。
【００６８】
本発明のインクジェット記録方法で、被記録材に記録するには、例えば上記のインク組成物が充填された容器をインクジェットプリンターの所定位置に装填し、通常の方法で、被記録材に記録すればよい。
本発明のインクジェット記録方法は、本発明のインク組成物と共に、イエロー、シアン、必要に応じて、グリーン、ブルー（又はバイオレット）、レッド、ブラック等の各インクを併用し得る。この場合、各色のインクは、それぞれの容器に注入され、それらの容器を、インクジェットプリンターの所定位置に装填して使用する。
インクジェットプリンターには、例えば機械的振動を利用したピエゾ方式；及び加熱により生ずる泡を利用したバブルジェット（登録商標）方式等を利用したものがある。本発明のインクジェット記録方法は、いかなる方式であっても使用が可能である。
【００６９】
本発明のインク組成物は、鮮明なマゼンタ色であり、普通紙やインクジェット専用紙等に記録した画像の鮮明度が高く、インクジェット記録方法に適した色相を有する。また、その記録画像の堅牢度、特に耐水性が非常に高いことを特徴とする。
本発明のインク組成物は、貯蔵中に色素成分等が沈澱、分離することがない。また、本発明のインク組成物をインクジェット記録に使用した場合、ノズル付近におけるインク組成物の乾燥による結晶の析出は非常に起こりにくく、噴射器（インクヘッド）を閉塞することもない。本発明のインク組成物は連続式インクジェットプリンターを用い、比較的長い時間間隔においてインクを再循環させて使用する場合においても、又はオンデマンド式インクジェットプリンターによる断続的な使用においても、物理的性質の変化を起こさない。
【実施例】
【００７０】
以下に本発明をさらに実施例により具体的に説明する。なお、本文中「部」及び「％」とあるのは、特別の記載のない限り質量基準である。また、実施例に記載した式中、１乃至６の置換位置を付与したベンゼン環に置換した、置換位置が特定されていないスルホン酸基は、いずれも２位又は４位に置換したものである。従って、該スルホン酸基を有する実施例中の化合物は、いずれも位置異性体の混合物である。また、実施例に記載した化合物のうち、最大吸収波長（λｍａｘ）の測定において、ほぼ同等の吸収強度を有するピークが複数観測されたものについては、その複数のピークのいずれをも最大吸収波長として記載した。このλｍａｘは、水溶液での測定値である。【００７１】
［実施例１］
（工程１）キシレン３６０部中に、撹拌しながら、下記式（１２）で表される化合物９４．８部、炭酸ナトリウム３．０部、ベンゾイル酢酸エチルエステル１４４．０部を順次加えて昇温し、１４０〜１５０℃の温度で８時間反応を行った。その間、反応で生成するエタノール及び水をキシレンと共沸させながら系外へ留出させ、反応を完結させた。次いで、冷却し、３０℃にてメタノール２４０部を添加して３０分撹拌後、析出固体を濾取した。得られた固体をメタノール３６０部で洗浄後、乾燥して、下記式（１３）で表される化合物１２４．８部を淡黄色針状結晶として得た。【００７２】
【化１２】
2009078252.tif 000015
【００７３】
【化１３】
2009078252.tif 000016
【００７４】
（工程２）撹拌下、Ｎ，Ｎ―ジメチルホルムアミド３００．０部中に、上記式（１３）で表される化合物８８．８部、メタアミノアセトアニリド７５．０部、酢酸銅一水和物２４．０部、及び炭酸ナトリウム１２．８部を順次加えて１２０〜１３０℃に昇温し、３時間反応を行った。反応液を約５０℃に冷却し、メタノール１２０部を添加して３０分撹拌した。析出固体を濾取し、メタノール５００部、次いで８０℃の温水で洗浄した後、乾燥することにより、下記式（１４）で表される化合物７９．２部を青味赤色固体として得た。【００７５】
【化１４】
2009078252.tif 000017
【００７６】
（工程３）９８％硫酸１３０部に、撹拌下、水冷しながら２８％発煙硫酸１７０部を添加して、１２％発煙硫酸３００部を調製した。水冷下、上記式（１４）で表される化合物５１．３部を５０℃以下で添加した後、８５〜９０℃へ昇温し、４時間反応を行った。氷水６００部中に反応液を添加し、その間、氷を加えながら発熱による液温の上昇を４０℃以下に保持した。さらに水を加えて液量を１０００部とした後、濾過して、不溶解物を除去した。得られた母液に温水を加えて１５００部とし、液温を６０〜６５℃に保ちながら、塩化ナトリウム３００部を添加して２時間撹拌し、析出した固体を濾取した。２０％塩化ナトリウム水溶液３００部で洗浄し、よく水分を絞って下記式（１５）で表される化合物５９．２部を含むウェットケーキ１２９．０部を赤色固体として得た。なお、この化合物の純度は、ジアゾ分析法により４５．９％であった。【００７７】
【化１５】
2009078252.tif 000018
【００７８】
（工程４）水６０部中に上記（工程３）で得た上記式（１５）で表される化合物のウェットケーキ６７．７部を添加し、次いで２５％水酸化ナトリウム水溶液２４部を添加して撹拌し、さらに２５％水酸化ナトリウム水溶液を加えてｐＨを３〜４に調整しながら溶解させた。
一方、氷水６０部に商品名リパールＯＨ（アニオン界面活性剤、ライオン株式会社製）０．４部を加え、シアヌルクロライド８．９部を添加し、３０分撹拌した後、得られた懸濁液を、上記の式（１５）を含む溶液中に添加し、１０％水酸化ナトリウム水溶液にてｐＨを２．７〜３．０に保ち、２５〜３０℃で４時間反応を行うことにより、下記式（１６）で表される化合物を含有する反応液を得た。【００７９】
【化１６】
2009078252.tif 000019
【００８０】
（工程５）上記（工程４）で得られた上記式（１６）で表される化合物を含有する反応液中に、２，４−ジアミノベンゼンスルホン酸８．２部と水４０部と２５％苛性ソーダ水溶液６．７部とからなる水溶液を加え、次いで２５％水酸化ナトリウム水溶液を加えてｐＨ４．０に保持しながら、液温を５０〜５５℃まで昇温し、その温度で１時間反応を行うことにより、下記式（１７）で表される化合物を含む反応液を得た。【００８１】
【化１７】
2009078252.tif 000020
【００８２】
（工程６）上記（工程５）で得られた上記式（１７）で表される化合物を含む反応液中に、氷を加えて３℃とし、４０％亜硝酸ナトリウム水溶液７．２部を添加し、次いで濃塩酸１２部を添加し、さらに水及び氷を加えて液量を６００部に調整し、３〜５℃にて１時間撹拌した。さらに１０％スルファミン酸水溶液を０．３部添加して過剰の亜硝酸ナトリウムを分解させ、ジアゾニウム反応液を得た。【００８３】
（工程７）Ｎ−ベンゾイルＨ酸（純度：６３％）２８．２部と水１２０部と２５％苛性ソーダ水溶液６．８部とからなる水溶液を上記（工程６）で得られたジアゾニウム反応液中に一気に添加し、次いで２５％苛性ソーダ水溶液を添加してｐＨを７．５〜８．０に調整し、温度を５０〜５５℃となるように加熱し、１時間反応させることにより、下記式（１８）で表される化合物を含有するスラリー液を得た。【００８４】
【化１８】
2009078252.tif 000021
【００８５】
（工程８）上記（工程７）で得られたスラリー液にアニリン１１．６部を添加し、加熱し、９０℃にて３０分間反応させた。その間、反応系内のｐＨは８から４に低下した。反応を完結後、反応液を濾過して不溶解物を除去した後、下記式（１９）で表される化合物を含有する水溶液を得た。上記の水溶液を８８０部に調整し、次いで５５℃に加熱し、濃塩酸を添加してｐＨを４．０に調整し、次いで塩化アンモニウム８８部を添加し、５５℃にて３０分撹拌し、固体を析出させた。析出した固体を濾取し、１５％塩化アンモニウム水溶液６００部で洗浄して赤色ウェットケーキ２００部を得た。【００８６】
【化１９】
2009078252.tif 000022
【００８７】
（工程９）上記（工程８）で得られたウェットケーキをエタノール８００部と共に加熱、撹拌し、６５℃にて３０分保持した後、析出固体を濾取し、エタノール５００部で洗浄後、乾燥して上記式（１９）で表される化合物の精製品４９．２部のアンモニウム塩を赤色固体として得た。
λｍａｘ：５１９、５３８ｎｍ。【００８８】
［実施例２］
実施例１の（工程１）〜（工程７）と同様にして得られた上記式（１８）で表される化合物を含有するスラリー液に、実施例１の（工程８）で用いたアニリンの代わりに４−ｎ−ブチルアニリン１７．９部を添加して加熱し、９０℃にて２時間反応させた。その間、反応系内のｐＨは８から４．６に低下した。反応を完結後、反応液を濾過して不溶解物を除去した後、濾液を８００部に調整し、次いで６０℃に加熱し、濃塩酸を添加してｐＨを３．５に調整し、次いで塩化アンモニウム４０部を添加し、６０℃にて３０分撹拌し、固体を析出させた。析出した固体を濾取し、２０％塩化アンモニウム水溶液２００部で洗浄して赤色のウェットケーキ１６０部を得た。得られたウェットケーキをエタノール８００部と共に加熱撹拌して７０℃にて３０分保持した後、析出固体を濾取し、エタノール５００部で洗浄後、乾燥して下記式（２０）で表される化合物４１．６部のアンモニウム塩を赤色固体として得た。
λｍａｘ：５２２、５３９ｎｍ。【００８９】
【化２０】
2009078252.tif 000023
【００９０】
［実施例３］
実施例１の（工程１）〜（工程７）と同様にして得られた上記式（１８）で表される化合物を含有するスラリー液に、２，４−ジメチルアニリン１４．５部を添加して加熱し、９０℃にて４０分反応させた。その間、反応系内のｐＨは８から３．８に低下した。反応を完結後、反応液を濾過して不溶解物を除去した後、濾液を８００部に調整し、次いで５５℃に加熱し、濃塩酸を添加してｐＨを４に調整し、次いで塩化アンモニウム８０部を添加し、さらに濃塩酸を添加してｐＨを３に調整して固体を析出させた。析出した固体を濾取し、２０％塩化アンモニウム水溶液４００部で洗浄して赤色のウェットケーキ２４０部を得た。得られたウェットケーキをエタノール８００部と共に加熱撹拌して６５℃にて１時間保持した後、濾過し、エタノール４００部で洗浄後、乾燥して下記式（２１）で表される化合物のアンモニウム塩４８．０部を赤色固体として得た。
λｍａｘ：５１８、５３６ｎｍ。【００９１】
【化２１】
2009078252.tif 000024
【００９２】
［実施例４］
実施例１の（工程１）〜（工程７）と同様にして得られた上記式（１８）のスラリー液に、フェネチルアミン１４．５部を添加して加熱し、２５％苛性ソーダ水溶液を加えながらｐＨを８〜９に調整して８５℃にて３時間反応を行い、反応を完結させた。反応液を濾過して不溶解物を除去した後、濾液を１０００部に調整し、次いで６０℃に加熱し、濃塩酸を添加してｐＨを４．０に調整し、次いで塩化アンモニウム７５部を添加し、さらに濃塩酸を添加してｐＨを２．０に調整して３０分撹拌し、固体を析出させた。析出した固体を濾取し、２０％塩化アンモニウム水溶液４００部で洗浄して赤色のウェットケーキ１２０部を得た。得られたウェットケーキをエタノール８００部と共に加熱撹拌して６５℃にて３０分保持した後、析出した固体を濾取し、エタノール４００部で洗浄後、乾燥して下記式（２２）で表される化合物４９．０部のアンモニウム塩を赤色固体として得た。
λｍａｘ：５２０、５３６ｎｍ。【００９３】
【化２２】
2009078252.tif 000025
【００９４】
［実施例５］
実施例１の（工程１）〜（工程７）と同様にして得られた上記式（１８）のスラリー液に６−アミノヘキサン酸１５．７部を添加し、２５％苛性ソーダ水溶液を加えながらｐＨを８〜９に調整して９０℃にて１時間反応を行い、反応を完結させた。濾過して不溶解物を除去した後、濾液を１０００部に調整し、次いで６０℃に加熱し、濃塩酸を添加してｐＨを３．０に調整し、次いで塩化アンモニウム１００部を添加し、さらに濃塩酸を添加してｐＨを２．５に調整して１５分撹拌し、固体を析出させた。析出した固体を濾取し、２０％塩化アンモニウム水溶液２４０部で洗浄して赤色のウェットケーキ１０４部を得た。得られたウェットケーキをメタノール６００部と共に加熱撹拌して６０℃にて３０分保持した後、氷冷して３℃にて３０分撹拌後、濾過し、乾燥して下記式（２３）で表される化合物１９．２部のアンモニウム塩を赤色固体として得た。
λｍａｘ：５１６ｎｍ。【００９５】
【化２３】
2009078252.tif 000026
【００９６】
［実施例６］
実施例１の（工程１）〜（工程７）と同様にして得られた上記式（１８）のスラリー液に２−エチルヘキシルアミン１５．５部を添加し、２５％苛性ソーダ水溶液を加えながらｐＨを６〜６．５に調整して９０℃にて２時間反応を行い、反応を完結させた。濾過して不溶解物を除去した後、濾液を１０００部に調整し、次いで６０℃に加熱し、濃塩酸を添加してｐＨを３．０に調整し、次いで塩化アンモニウム１００部を添加し、さらに濃塩酸を添加してｐＨを１．５に調整して３０分撹拌し、固体を析出させた。析出した固体を濾取し、２０％塩化アンモニウム水溶液４００部で洗浄して赤色のウェットケーキ１４４部を得た。得られたウェットケーキをエタノール１０００部と共に加熱撹拌して７０℃にて３０分保持した後、２０℃に冷却して析出した固体を濾過し、エタノール４００部で洗浄し、乾燥して下記式（２４）で表される化合物４０．５部のアンモニウム塩を赤色固体として得た。
λｍａｘ：５３８、５２３ｎｍ。【００９７】
【化２４】
2009078252.tif 000027
【００９８】
［（Ａ）インクの調製］
上記実施例１の（工程９）で得られた上記式（１９）で表される化合物、及びその他のインク調製剤等を、下記表２に示した組成比で混合して本発明のインク組成物を得た。得られたインク組成物を０．４５μｍのメンブランフィルターで濾過することにより夾雑物を除き、評価用のインクを得た。なお、水はイオン交換水を使用し、インク組成物のｐＨがおよそ９．０となるようにアンモニア水で調整後、総量が１００部になるように水を加えた。得られたインクを実施例７とする。同様に、実施例２〜６で得られた化合物を用いる以外は実施例７と同様の組成及び操作によって得られたインクをそれぞれ実施例８〜１２とする。【００９９】
【表２】
2009078252.tif 000028
【０１００】
［比較例１］
実施例１の（工程９）で得られた上記式（１９）で表される化合物の代わりに、下記式（２５）の比較用の色素を用いる以外は実施例７と同様にして、比較用のインク組成物を調製した。なお、下記式（２５）で表される化合物はアンモニウム塩として合成したものを用いた。【０１０１】
【化２５】
2009078252.tif 000029
【０１０２】
なお、上記式（２５）の色素は次のようにして合成した。
実施例１の（工程１）〜（工程４）と同様にして得られた式（１６）で表される化合物を含有する反応液中に、スルファニル酸８．０部と水４０部と２５％水酸化ナトリウム水溶液７．０部とからなる水溶液をｐＨ３〜４で添加し、５０℃に加熱し、その温度で１時間反応させた。その間、２５％水酸化ナトリウム水溶液を添加してｐＨを４に保持し、２次縮合液を得た。
得られた２次縮合液に、アニリン１１．２部を添加し、９０℃にて１．５時間反応させ、反応を完結させて３次縮合液を得た。その間、ｐＨは５から３．４に低下した。濾過により不溶解物を除去した後、湯を加えて液量を５００部に調整し、５０℃に加熱し、濃塩酸を添加してｐＨを３に調整した。次いで塩化アンモニウム１００部を添加し５５℃にて１時間撹拌し、固体を析出させた。析出した固体を濾取し、２０％塩化アンモニウム水溶液４００部で洗浄して赤色のウェットケーキ８４部を得た。
得られたウェットケーキをメタノール３００部に加えて加熱し、５５℃の温度で１５分間保持して溶解させた。次いでエタノール７５部を添加して、５０℃にて１５分間保持した後、水冷し、２０℃にて３０分間撹拌し、析出した固体を濾取し、メタノール２８０部とエタノール１２０部とからなる液で洗浄し、乾燥することにより、上記式（２５）の色素４９．２部を赤色固体として得た。【０１０３】
［（Ｂ）インクジェット記録］
インクジェットプリンター（キヤノン社製  商品名：ＰＩＸＵＳ  ｉｐ４１００）を用いて、下記表３に示す５種類の普通紙にインクジェット記録を行った。インクジェット記録の際、チェック柄のパターン（濃度１００％と０％との１．５ｍｍ角正方形を交互に組み合わせたパターン）を作成し、コントラストの高いマゼンタ−ホワイトの印字物を得た。また、反射濃度が数段階の階調が得られるように画像パターンも作成し、マゼンタ色のグラデーションを有する印字物を得た。
耐水性試験の目視判断を行う際には、チェック柄の印刷物を用いた。
耐水性試験の色素残存率測定は、グラデーションを有する印字物を用い、試験前の印字物の反射濃度Ｄ値が１に最も近い部分について反射濃度の測定を行った。反射濃度は測色システム（ＧｒｅｔａｇＭａｃｂｅｔｈ社製、商品名ＳｅｃｔｒｏＥｙｅ）を用いて測定した。
記録画像の各種試験方法及び試験結果の評価方法を以下に記載する。【０１０４】
【表３】
2009078252.tif 000030
【０１０５】
［（Ｃ）印刷物のＬ＊、ａ＊、ｂ＊の測定］
プリントしたグラデーションを有する印字物中で反射濃度（Ｄ値）が１．０付近の部分について、上記測色システムを用いてＬ＊、ａ＊、ｂ＊値を測定した。鮮明性は、色度（ａ＊、ｂ＊）からＣ＊＝［（ａ＊）２＋（ｂ＊）２］１／２を算出した。
実施例７〜１２及び比較例１の結果を下記表４に記す。【０１０６】
【表４】
2009078252.tif 000031
【０１０７】
実施例７〜１２の色相は、普通紙１〜４の全てにおいて、ｂ＊が、比較例１のｂ＊よりも値が小さく、黄味な色相である。また、実施例１２は、普通紙１〜４において、Ｌ＊値がそれぞれ５２．９、５３．５、５４．１、５２．４であったのに対し、比較例２は、それぞれ５０．７、５３．０、５３．３、５１．５と値が小さく、実施例１２の方が比較例１よりも明度が高い色相ということが分かる。
普通紙２では、実施例７，９，１１，１２のＣ＊値がそれぞれ６１．５、６２．４、６０．８、６０．８であったのに対し、比較例１は５９．４と値が小さく、実施例７，９，１１，１２は比較例１よりも鮮明性が高い色相であることが分かる。
従って、本発明のアントラピリドン化合物は、普通紙においてインクジェット用マゼンタ色素として好適な鮮明性、明度を有すると言える。【０１０８】
［（Ｄ）耐水性試験１（浸漬試験）］
印刷後２４時間乾燥を行ったチェック柄の印字物に対して、イオン交換水中に１時間浸漬した。乾燥後、パターンの着色部分の色落ち具合を目視で評価し、以下の基準で３段階に評価した。
色落ちがやや見られる・・・・・・・・・・・・・・・・・○
色落ちするが、着色の残存がある・・・・・・・・△
全て色落ちする・・・・・・・・・・・・・・・・・・・・・・・×
結果を表５に示す。【０１０９】
［（Ｅ）耐水性試験２（ふき取り試験）］
印刷後２４時間乾燥を行ったグラデーションの印字物に対して、イオン交換水を一滴落とし、１分後にふき取る。乾燥後、反射濃度を上記の測色システムを用いて測色した。測定後、色素残存率を（試験後の反射濃度／試験前の反射濃度）×１００（％）で計算して求めた値の結果を表６に示す。【０１１０】
【表５】
2009078252.tif 000032
【０１１１】
【表６】
2009078252.tif 000033
【０１１２】
表５及び表６の結果より明らかなように、目視評価の耐水性試験１において、比較例１では普通紙１〜４の全てについて着色物が色落ちしてしまい、プリント前の普通紙と同様の白色になるのに対し、実施例７〜１２では色落ちが認められるものの、着色の残存があった。従って、実施例７〜１２は比較例１よりも明らかに耐水性が良好である結果となった。
また、耐水性試験２において、普通紙１では、比較例１の残存率が６０．２に対して、実施例７〜１２は７０．５〜８２．６であり、普通紙２では、比較例１の残存率が７１．９に対して、実施例７〜１２は７７．１〜８３．２であり、普通紙３では、比較例１が６７．８に対して、実施例７〜１２は７２．１〜８７．４であり、普通紙４では、比較例１が５８．３に対して、実施例７〜１２が７８．５〜８６．５である。従って、普通紙１〜４の全てにおいて実施例７〜１２が比較例１よりも残存率が高く、明らかに良好である結果が得られた。すなわち、比較例１に対して実施例７〜１２の記録画像は、目視及び測色結果のいずれにおいても極めて優れた耐水性を示し、本発明の色素及びこれを含有するインクの有用性が明らかとなった。【０１１３】
以上の結果から、本発明の水溶性アントラピリドン化合物はインクジェット記録用のインク組成物を調製するのに適しており、各種の堅牢性、特に耐水性に極めて優れ、また水溶解性が高く、良好で鮮明な色相を持つ。これらの特徴から、本発明のアントラピリドン化合物は各種の記録用インク色素、特にインクジェットインク用のマゼンタ色の色素として非常に有用な化合物であることが明らかである。
【国際調査報告】
2009078252.tif 000038
2009078252.tif 000039
2009078252.tif 000040
2009078252.tif 000041